(57)【特許請求の範囲】
【請求項１】
複数の警備区域それぞれに配置され、該配置された警備区域を一意に特定する区域識別情報を記憶し、記憶媒体に記憶された該記憶媒体の所有者を示す所有者識別情報および所有者の属性を示す属性識別情報を読み取り、該読み取った所有者識別情報および属性識別情報に前記区域識別情報を付与した照合情報を照合装置に送信する読取装置と、
該読取装置それぞれに接続され、前記読取装置から受信した照合情報と予め記憶された所定の情報とを照合し、前記警備区域の各入口扉に配設された電気錠の解錠を許可する許可信号または解錠を許可しない不許可信号を前記読取装置に送信する照合装置と、
前記読取装置を介して前記照合装置から前記許可信号を受信した場合には前記電気錠の解錠をおこない、前記不許可信号を受信した場合には前記電気錠の解錠を拒絶するよう制御する電気錠制御装置と、
を備える出入管理システムにおいて、
前記照合装置は、前記属性識別情報および所有者識別情報に対応付けた当該記憶媒体の所有者の入室を許可しない警備区域に係る前記区域識別情報を記憶し、該記憶された属性識別情報が前記読取装置から受信した照合情報に含まれる属性識別情報と一致し、かつ、該記憶された所有者識別情報および区域識別情報が前記読取装置から受信した照合情報に含まれる所有者識別情報および区域識別情報と一致しない場合に、前記許可信号を送信し、
前記読取装置は、前記記憶媒体に記憶された所有者識別情報および／または属性識別情報を消去する消去手段をさらに備え、当該消去手段は、前記照合装置から前記不許可信号を受信した場合に、前記記憶媒体に記憶された所有者識別情報および／または属性識別情報を消去すること
を特徴とする出入管理システム。
【請求項２】
前記照合装置は、
該照合装置に記憶された所有者識別情報、属性識別情報および区域識別情報が、前記照合情報に含まれる所有者識別情報、属性識別情報および区域識別情報と一致するか否かをそれぞれ判定する判定手段と、
前記判定手段により前記属性識別情報が一致しないものと判定された場合、または、前記属性識別情報、所有者識別情報および区域識別情報がいずれも一致するものと判定された場合には、前記不許可信号を送信し、前記判定手段により前記属性識別情報は一致するが前記所有者識別情報および区域識別情報が一致しないものと判定された場合には、前記許可信号送信する制御信号送信手段と、
を備えたことを特徴とする請求項１に記載の出入管理システム。
【請求項３】
前記読取装置は、当該読取装置を操作する操作者を撮像する撮像手段をさらに備え、当該撮像手段は、前記照合装置から前記不許可信号を受信した場合に、前記読取装置を操作する操作者を撮像することを特徴とする請求項１または２に記載の出入管理システム。
【発明の詳細な説明】
【０００１】
【発明の属する技術分野】
この発明は、複数の警備区域それぞれに配置され、該配置された警備区域を一意に特定する区域識別情報を記憶し、記憶媒体に記憶された該記憶媒体の所有者を示す所有者識別情報および所有者の属性を示す属性識別情報を読み取り、該読み取った所有者識別情報および属性識別情報に区域識別情報を付与した照合情報を照合装置に送信する読取装置と、該読取装置それぞれに接続され、読取装置から受信した照合情報と予め記憶された所定の情報とを照合し、警備区域の各入口扉に配設された電気錠の解錠を許可する許可信号または解錠を許可しない不許可信号を読取装置に送信する照合装置と、読取装置を介して照合装置から許可信号を受信した場合には電気錠の解錠をおこない、不許可信号を受信した場合には電気錠の解錠を拒絶するよう制御する電気錠制御装置とを備える出入管理システムに関し、特に、照合装置に登録すべき情報量の大型化を防ぎ、もって情報の登録作業に要する労力を軽減することができ、かつ出入を許可するか否かを迅速に照合することができる出入管理システムに関する。
【０００２】
【従来の技術】
従来、会社や店舗のセキュリティを確保するために、従業者に磁気カードを所有させて出入管理をおこなうシステムがある。この磁気カードを用いた出入管理システムにおいては、出入制限の対象となる各警備区域（例えば、フロアや部屋など）の入口扉に磁気カードの情報を読み取るカード読取装置を設置し、このカード読取装置により読み取られた情報を照合装置にあらかじめ記憶された情報と照合し、この照合結果に応じて各警備区域の入口扉に設けられた電気錠の解錠を制御することが一般的におこなわれている。
【０００３】
そして、このように磁気カードに記憶された情報と照合装置に記憶された情報とを照合して出入管理をおこなう場合、カード読取装置には、当該カード読取装置が設置された警備区域を特定するための区域識別情報を記憶させ、磁気カードには、各従業者を一意に識別するための所有者識別情報を記憶させ、照合装置には、この所有者識別情報に対応付けて当該所有者識別情報が付与された従業者が入出を許可されている警備区域を特定するための区域識別情報を記憶させることが多い。ここで、かかる情報を用いて出入管理をおこなう場合の処理手順を簡単に説明する。
【０００４】
カード読取装置は、従業者の操作によって磁気カードを読み取ると、当該磁気カードに記憶された所有者識別情報と前記カード読取装置に付与された区域識別情報とを照合装置に送信する。そして、照合装置は、受信した所有者識別情報および区域識別情報に基づいて、当該区域識別情報が所有者識別情報に対応付けて記憶されているか否かを照合する。この照合の結果、区域識別情報が記憶されている場合には、入出許可信号をカード読取装置に送信して入口扉の電気錠を解錠し、反対に、区域識別情報が記憶されていない場合には、入出不許可信号を送信して電気錠の解錠を拒絶する。
【０００５】
【発明が解決しようとする課題】
しかしながら、上記の従来技術は、照合装置に記憶すべき情報の量が膨大になる結果、当該情報の登録作業が煩雑になるとともに、出入を許可するか否かを照合する速度が低下するという問題点があった。
【０００６】
すなわち、上記の従来技術は、カードを所有する全ての従業者について入出が許可された全ての警備区域の区域識別情報を記憶する必要がある。たとえば、警備区域Ａ〜警備区域Ｃを入出制限の対象とし、所有者識別情報「０００１」、「０００４」および「０００６」の従業者に対して警備区域Ａ〜警備区域Ｃの全ての警備区域の入出を許可し、所有者識別情報「０００２」の従業者に対して警備区域Ａおよび警備区域Ｃの入出を許可し、所有者識別情報「０００３」の従業者に対して警備区域Ｃの入出を許可するような場合には、図６に示すように所有者識別情報および区域識別情報を記憶する必要がある。
【０００７】
会社や店舗の出入管理においては、一般的に、入出を許可されない従業者と警備区域の組合せ（図６に示した所有者識別情報「０００２」および「０００３」）よりも入出を許可される従業者と警備区域の組合せ（図６に示した所有者識別情報「０００１」、「０００４」および「０００６」）の方が多いので、上記の従来技術では、カードの発行枚数や警備区域の数に対応して、照合装置に記憶すべき情報の量も自ずと多くなってしまう。このため、従業者の数が多い会社や警備区域の数が多い店舗の場合、照合装置に記憶すべき情報の量が膨大になる結果、当該情報の登録作業が煩雑になるとともに、出入を許可するか否かを照合する速度が低下するという問題点があった。
【０００８】
そこで、この発明は、上述した従来技術による問題点を解消するためになされたものであり、照合装置に登録すべき情報量の大型化を防ぎ、もって情報の登録作業に要する労力を軽減することができ、かつ出入を許可するか否かを迅速に照合することができる出入管理システムを提供することを目的とする。
【０００９】
また、この発明は、紛失した記憶媒体（カード）が第三者により使用されたような場合に、この悪意の第三者を特定することができる出入管理システムを提供することを目的とする。
【００１０】
【課題を解決するための手段】
上述した課題を解決し、目的を達成するため、請求項１の発明に係る出入管理システムは、複数の警備区域それぞれに配置され、該配置された警備区域を一意に特定する区域識別情報を記憶し、記憶媒体に記憶された該記憶媒体の所有者を示す所有者識別情報および所有者の属性を示す属性識別情報を読み取り、該読み取った所有者識別情報および属性識別情報に前記区域識別情報を付与した照合情報を照合装置に送信する読取装置と、該読取装置それぞれに接続され、前記読取装置から受信した照合情報と予め記憶された所定の情報とを照合し、前記警備区域の各入口扉に配設された電気錠の解錠を許可する許可信号または解錠を許可しない不許可信号を前記読取装置に送信する照合装置と、前記読取装置を介して前記照合装置から前記許可信号を受信した場合には前記電気錠の解錠をおこない、前記不許可信号を受信した場合には前記電気錠の解錠を拒絶するよう制御する電気錠制御装置と、を備える出入管理システムにおいて、前記照合装置は、前記属性識別情報および所有者識別情報に対応付けた当該記憶媒体の所有者の入室を許可しない警備区域に係る前記区域識別情報を記憶し、該記憶された属性識別情報が前記読取装置から受信した照合情報に含まれる属性識別情報と一致し、かつ、該記憶された所有者識別情報および区域識別情報が前記読取装置から受信した照合情報に含まれる所有者識別情報および区域識別情報と一致しない場合に、前記許可信号を送信し、前記読取装置は、前記記憶媒体に記憶された所有者識別情報および／または属性識別情報を消去する消去手段をさらに備え、当該消去手段は、前記照合装置から前記不許可信号を受信した場合に、前記記憶媒体に記憶された所有者識別情報および／または属性識別情報を消去することを特徴とする。
【００１１】
また、請求項２の発明に係る出入管理システムは、請求項１に記載の発明において、前記照合装置は、該照合装置に記憶された所有者識別情報、属性識別情報および区域識別情報が、前記照合情報に含まれる所有者識別情報、属性識別情報および区域識別情報と一致するか否かをそれぞれ判定する判定手段と、前記判定手段により前記属性識別情報が一致しないものと判定された場合、または、前記属性識別情報、所有者識別情報および区域識別情報がいずれも一致するものと判定された場合には、前記不許可信号を送信し、前記判定手段により前記属性識別情報は一致するが前記所有者識別情報および区域識別情報が一致しないものと判定された場合には、前記許可信号送信する制御信号送信手段と、を備えたことを特徴とする。
【００１３】
また、請求項３の発明に係る出入管理システムは、請求項１または２に記載の発明において、前記読取装置は、当該読取装置を操作する操作者を撮像する撮像手段をさらに備え、当該撮像手段は、前記照合装置から前記不許可信号を受信した場合に、前記読取装置を操作する操作者を撮像することを特徴とする。
【００１４】
【発明の実施の形態】
以下に添付図面を参照して、この発明に係る出入管理システムの好適な実施の形態を詳細に説明する。
【００１５】
（システムの全体構成）
図１は、本実施の形態に係る出入管理システムの全体構成を示す図である。同図に示すように、本実施の形態に係る出入管理システムは、一若しくは複数の読取装置１０と、制御装置４（照合装置３０および画像送信装置５０）とを専用線２を介して通信可能に接続し、さらに各読取装置１０に対応して設置される一若しくは複数の監視カメラ２０と、制御装置４と、監視センタ４０とを通信装置６０およびネットワーク３を介して通信可能に接続して構成される。
【００１６】
この図１に示した出入管理システムは、会社や店舗の各従業者に磁気情報が記憶されたカード１を所有させて各警備区域の出入管理をおこなうシステムであり、概略的に、出入制限の対象となる各警備区域、たとえば警備区域Ａ〜警備区域Ｃの各入口扉にカード１の磁気情報を読み取るための読取装置１０をそれぞれ設置し、この読取装置１０により読み取られた情報を照合装置３０の不許可情報ＤＢ３３に記憶された情報と照合し、この照合結果に応じて各警備区域の入口扉に設けられた錠１１ａの解錠を電気錠制御装置１１により制御する。
【００１７】
そして、図１に示した出入管理システムは、照合装置３０の不許可情報ＤＢ３３に記憶される情報に特徴があり、具体的には、この不許可情報ＤＢ３３は、カード１に記憶される所有者識別情報に対応付けて当該所有者識別情報が付与された従業者が入出を許可されていない警備区域を一意に特定するための区域識別情報を記憶する。そして、読取装置１０により読み取った所有者識別情報および読取装置１０の区域識別情報記憶部１４に記憶された区域識別情報が不許可情報ＤＢ３３に記憶された所有者識別情報および区域識別情報と一致するか否かを照合して、錠１１ａの解除を制御することとしている。
【００１８】
（読取装置の構成）
図２は、図１に示した読取装置１０および監視カメラ２０の構成を示すブロック図である。図１に示した読取装置１０は、概略的に、カード１の読み取り、錠１の解除、監視カメラ１の制御、カード１の磁気情報の消磁などをおこなうものであり、図２に示すように、電気錠制御装置１１（錠１１ａを含む。）と、カード読取部１２と、表示部１３と、区域識別情報記憶部１４と、送受信部１５と、制御部１６とから構成される。
【００１９】
カード読取部１２は、カード１に記憶された磁気情報を接触または非接触により読み取る処理部であり、具体的には、カード１に記憶された固定コードおよび可変コード、すなわちカード所有者の属性を示す属性情報およびカード所有者を一意に特定するための所有者識別情報を読み取る。なお、この属性情報は、たとえば会社やテナント別に与えられるものであり、属性がテナントである場合、同じテナントに入退室を許可されている者は同じテナントコードを有する。一方、所有者識別情報は、個々に異なるコードが与えられる。
【００２０】
また、カード読取部１２は、所定の場合にカード１に記憶されている磁気情報を消磁することもできる。この所定の場合とは、紛失したカード１が第三者によって使用されるような場合であり、磁気情報を消磁することにより当該カード１の使用を不可能にすることができる。
【００２１】
区域識別情報記憶部１４は、読取装置１０が設置される警備区域を一意に特定するための区域識別情報を記憶する。錠１１ａは、警備区域の入口扉に設けられる電気錠であり、制御部１６から解錠信号を受け取った場合に解錠される。表示部１３は、照合が不可能である旨や解錠が不可能である旨などの照合処理に係る情報を表示する処理である。
【００２２】
送受信部１５は、読取装置１０と照合装置３０との間で所定情報の送受信をおこなう処理部である。具体的には、カード読取部１２により読み取った属性情報および所有者識別情報に区域識別情報記憶部１４により記憶された区域識別情報を付加した照合データを照合装置３０に送信し、一方、解錠を許可する旨の解錠許可信号、解錠を許可しない旨の解錠不許可信号、カード１の磁気情報を消磁すべき旨の消磁信号などを照合装置３０から受信する。
【００２３】
制御部１６は、読取装置１０の各部および監視カメラ２０を制御する処理部である。具体的には、カード読取部１２によりカード１の磁気情報が読み取られた場合には、読み取った属性情報および所有者識別情報に区域識別情報記憶部１４により記憶された区域識別情報を付加した照合データを作成し、この照合データを照合装置３０に送信するよう送受信部１５を制御する。また、送受信部１５を介して照合装置３０から解錠許可信号を受け取った場合には、電気錠制御装置１１に解錠許可信号を出力して解錠するよう錠１１ａを制御する。
【００２４】
一方、照合装置３０から解錠不許可信号を受け取った場合には、電気錠制御装置１１により錠１１ａを解錠することなく、解除不可能である旨を表示するよう表示部１３を制御するとともに、監視カメラ２０に画像取込信号を出力してカード所有者の姿態を撮像するよう監視カメラ２０を制御する。また、照合装置３０から消磁信号を受け取った場合には、カード１に記憶されている磁気情報（所有者識別情報や属性識別情報）を消磁するようカード読取部１２を制御する。なお、カード１の読取エラーが出た場合には、カード所有者に再度の読み込みを促すべく、読取エラーである旨を表示するよう表示部１３を制御する。
【００２５】
［監視カメラの構成］
図１に示した監視カメラ２０は、概略的に、読取装置１０の操作者としてのカード所有者の姿態を撮像するものであり、図２に示すように、撮像部２１と、記録部２２と、タイマ２３と、送受信部２４と、カメラ制御部２５とから構成される。
【００２６】
撮像部２１は、カメラ制御部２５から画像取込信号を受け取ってカード所有者の姿態を撮像する処理部である。なお、かかる画像取込信号に起因して撮像を開始し、カメラ制御部２５から画像取込終了信号を受け取って撮像を終了する。
【００２７】
記録部２２は、撮像部２１により撮像された画像を記録する。この記録部２２に記録された画像は、送受信部２４を介して監視センタ４０に送信される。監視センタ４０は、テナントの管理室や監視室、または警備会社である。なお、記録部２２に記録された画像は、監視センタ４０からの要求に対応して、あるいはリアルタイムに、若しくは遠隔操作により送信される。
【００２８】
タイマ２３は、時刻を計時する処理部であり、具体的には、カメラ制御部２５からタイマ起動信号を受け取って計時を開始し、あらかじめ定められた時間を計時すると、カメラ制御部２５に計時終了信号を出力する。なお、あらかじめ定められる時間は、カード所有者が撮像部２１のフレームから外れるであろう時間などを考慮して定められる。
【００２９】
送受信部２４は、監視カメラ２０と監視センタ４０との間で画像送信装置５０および通信装置６０を介して所定情報の送受信をおこなう処理部である。具体的には、記録部２２に記録された画像を監視センタ３０に送信し、一方、記録部２２に記録された画像の送信要求を監視センタ４０から受信する。
【００３０】
カメラ制御部２５は、監視カメラ２０の各部を制御する処理部である。具体的には、読取装置１０から画像取込信号を受信した場合には、当該画像取込信号を撮像部２１に出力して撮像を開始するよう撮像部２５を制御するとともに、タイマ２３にタイマ起動信号を出力して計時を開始するようタイマ２３を制御する。
【００３１】
また、監視センタ４０から送受信部２４を介して画像の送信要求を受け取った場合には、記録部２２に記録された画像を監視センタ４０に送信するよう送受信部２４を制御する。また、タイマ２３から計時終了信号を受け取った場合には、撮像部２１に画像取込終了信号を出力して撮像を終了するよう撮像部２１を制御するとともに、撮像の記録を停止するよう記録部２２を制御し、監視センタ４０への画像送信を終了するよう送受信部２４を制御する。
【００３２】
なお、図２には示していないが、テナントの管理室や監視室に監視モニタを設置し、当該監視モニタを監視カメラ２０に接続して、カード所有者の画像を管理人などにリアルタイムで送信することもできる。
【００３３】
（照合装置の構成）
図３は、図１に示した照合装置３０の構成を示すブロック図である。図１に示した照合装置３０は、概略的に、読取装置１０から受信した情報に基づいてカード所有者の入出を許可するか否かを照合し、この照合結果に応じて読取装置１０における処理を制御するものであり、図３に示すように、区域識別情報ＤＢ３１と、属性情報ＤＢ３２と、不許可情報ＤＢ３３と、履歴記録部３４と、第１送受信部３５と、第２送受信部３６と、制御部３７とからなる。
【００３４】
区域識別情報ＤＢ３１は、照合装置３０に接続される各読取装置１０の区域識別情報記憶部１４に記憶された区域識別情報をそれぞれ記憶する。属性情報ＤＢ３２は、本出入管理システムに用いられる全てのカード１に記憶された属性情報をそれぞれ記憶する。
【００３５】
不許可情報ＤＢ３３は、カード１に記憶される所有者識別情報に対応付けて当該所有者識別情報が付与された従業者が入出を許可されていない警備区域を一意に特定するための区域識別情報を記憶する。図４は、図３に示した不許可情報ＤＢに記憶される情報の構成例を示す図である。
【００３６】
たとえば、警備区域Ａ〜警備区域Ｃを入出制限の対象とし、所有者識別情報「０００２」の従業者に対して警備区域Ｂの入出を不許可とし、所有者識別情報「０００３」の従業者に対して警備区域Ａおよび警備区域Ｂの入出を不許可とし、所有者識別情報「０００５」の従業者に対して警備区域Ａ〜警備区域Ｃの入出を不許可とするような場合には、図４に示すように所有者識別情報および区域識別情報を記憶する必要がある。
【００３７】
一方、所有者識別情報「０００１」および「０００４」の従業者に対して警備区域Ａ〜警備区域Ｃの全警備区域の入出を許可する場合には、図４に示すように、所有者識別情報「０００１」および「０００４」に関する情報は一切記憶する必要はない。
【００３８】
ここで、図４に示した情報を図６に示した情報と比較すると、所有者識別情報「０００１」〜「０００５」の従業者５名に対する出入管理の内容は同様であるが、図４に示した情報量の方が図６に示した情報量よりも少量である。すなわち、少量の情報量によって同様の出入管理をおこなうことができる。これは、会社や店舗の出入管理においては、一般的に、図４に示した入出を許可されない従業者と警備区域の組合せの方が、図６に示した入出を許可される従業者と警備区域の組合せよりも少ないという理由からである。
【００３９】
なお、カード１を紛失したような場合には、当該カード１を拾った第三者の入室を防止するために、図４の所有者識別情報「０００５」に示すように、全ての警備区域Ａ〜警備区域Ｃの入出を不許可とする情報が記憶される。このような場合、紛失したカード１が回収された際、または紛失したカード１が第三者の使用に基づいて読取装置１０により磁気情報の消磁がおこなわれた際に、全ての警備区域Ａ〜警備区域Ｃの入出を不許可とする情報は不許可情報ＤＢ３３から削除される。これにより、不許可情報ＤＢ３３の情報量をさらに削減することができる。
【００４０】
履歴記録部３４は、読取装置１０から受信した照合データや読取装置１０においてカード１の読み取りがおこなわれた日時を記録する。なお、履歴記録部３４に記録された情報は、監視カメラ２０により撮像された画像を事後的に解析する場合などに用いられる。
【００４１】
第１送受信部３５は、照合装置３０と読取装置１０との間で所定情報の送受信をおこなう処理部である。具体的には、読取装置１０から照合データ、すなわちカード１から読み取られた属性情報および所有者識別情報に区域識別情報記憶部１４により記憶された区域識別情報を付加した情報を受信し、一方、解錠を許可する旨の解錠許可信号、解錠を許可しない旨の解錠不許可信号、カード１の磁気情報を消磁すべき旨の消磁信号などを読取装置１０に送信する。
【００４２】
第２送受信部３６は、照合装置３０と監視センタ４０との間で通信装置６０を介して所定情報の送受信をおこなう処理部である。具体的には、解錠を許可しない場合に、解錠異常信号を監視センタ４０に送信して、監視センタ４０は、警備員に不正な入室が試行されている旨を知らせる。なお、警備員は、かかる解錠異常信号を受け取るとともに、監視カメラ３０から画像を受け取ることによって、現場に急行することができる。
【００４３】
制御部３７は、照合装置３０の各部を制御する処理部であり、機能概念的に、照合部３７ａと、命令作成部３７ｂとを有する。照合部３７ａは、読取装置１０から受け取った照合データと、区域識別情報ＤＢ３１、属性情報ＤＢ３２および不許可情報ＤＢ３３に記憶された各情報とを照合する処理部である。また、命令作成部３７ｂは、照合部３７ａによる照合結果に応じて、読取装置１０を制御するための所定の命令を作成する。以下、この照合部３７ａによる照合と命令作成部３７ｂによる命令作成とを対応付けて説明する。
【００４４】
照合部３７ａは、照合データに含まれる区域識別情報が区域識別情報ＤＢ３１に記憶されているか否か照合し、記憶されていない場合には、命令作成部３７ｂは、読取装置１０の表示部１３に読取エラーである旨を表示させるための命令を作成する。
【００４５】
また、照合部３７ａは、照合データに含まれる属性情報および所有者識別情報の桁数が属性情報ＤＢ３２および不許可情報ＤＢ３３に記憶された各情報の桁数と一致するか否かを照合し、一致しない場合には、命令作成部３７ｂは、正規に発行されたカードではないものとして、解錠を拒絶するための解錠不許可信号を作成する。
【００４６】
また、照合部３７ａは、照合データに含まれる属性情報が属性情報ＤＢ３２に記憶されているか否かを照合し、記憶されていない場合には、命令作成部３７ｂは、正規に発行されたカードではないものとして、解錠を拒絶するための解錠不許可信号を作成する。
【００４７】
また、照合部３７ａは、照合データに含まれる所有者識別情報および区域識別情報が不許可情報ＤＢ３３に記憶されているか否かを照合し、記憶されていない場合には、信号作成部３７ｂは、解錠を許可するための解錠許可信号を作成する。一方、不許可情報ＤＢ３３に記憶されている場合には、解錠を拒絶するための解錠不許可信号を作成する。なお、この場合には、監視センタ４０に送信する解錠異常信号も作成される。
【００４８】
さらに、照合データに含まれる所有者識別情報および区域識別情報が不許可情報ＤＢ３３に記憶されており、この記憶されている情報が全警備区域の入室を制限するもの、すなわちカードの紛失に起因するものである場合には、命令作成部３７ｂは、カード１の磁気情報を消磁させるための消磁信号を作成する。
【００４９】
このように命令作成部３７ｂにより作成された各信号は、第１送受信部３５を介して読取装置１０に送信され、この各種信号に基づいて読取装置１０の処理、さらには監視カメラ２０の処理がおこなわれる。
【００５０】
（カードの照合処理）
図５は、本実施の形態に係る出入管理システムによるカード照合処理の手順を示すフローチャートである。まず最初に、読取装置１０は、カード１の情報、すなわち属性情報および所有者識別情報を読み取る（ステップＳ５０１）。そして、この読み取った情報に区域識別情報を付加し（ステップＳ５０２）、属性情報、所有者識別情報および区域識別情報からなる照合データを照合装置３０に送信する（ステップＳ５０３）。
【００５１】
その後、照合装置３０は、読取装置１０から照合データを受信し（ステップＳ５０４）、照合データに基づいて、カード所有者の入室を許可するか否かの照合をおこなう（ステップＳ５０５〜ステップＳ５０７）。具体的には、まず最初に、カード１が正規に発行されたものであるか否か、すなわち照合データに含まれる属性情報および所有者識別情報の桁数が属性情報ＤＢ３２および不許可情報ＤＢ３３に記憶された各情報の桁数と一致するか否かおよび照合データに含まれる属性情報が属性情報ＤＢ３２に記憶されているか否かを照合する（ステップＳ５０５）。
【００５２】
この照合の結果、桁数が一致しない場合または属性データが記憶されていない場合には（ステップＳ５０５否定）、カード１は正規に発行されたカードではないものとして、解錠を拒絶するための不許可信号を読取装置１０に送信する（ステップＳ５１０）。
【００５３】
そして、照合装置３０は、照合データに含まれる所有者識別情報が不許可情報ＤＢ３３に記憶されているか否かを照合し（ステップＳ５０６）、この照合の結果、所有者識別情報が記憶されていない場合には（ステップＳ５０６否定）、カード所有者は全ての警備区域の入室を許可された者であるとして、解錠を許可するための許可信号を読取装置１０に送信する（ステップＳ５０８）。一方、所有者識別情報が不許可情報ＤＢ３３に記憶されている場合には（ステップＳ５０６肯定）、照合データに含まれる区域識別情報が不許可情報ＤＢ３３に記憶されているか否かを照合する（ステップＳ５０７）。
【００５４】
この照合の結果、区域識別情報が記憶されていない場合には（ステップＳ５０７否定）、カード所有者は当該区域識別情報の警備区域の入室を許可された者であるとして、解錠を許可するための許可信号を読取装置１０に送信する（ステップＳ５０７）。一方、区域識別情報が記憶されている場合には（ステップＳ５０７肯定）、カード所有者は当該区域識別情報の警備区域の入室を許可されていない者として、解錠を拒絶するための不許可信号を読取装置１０に送信する（ステップＳ５１０）。
【００５５】
なお、区域識別情報が不許可情報ＤＢ３３に記憶されており、この記憶されている情報が全警備区域の入室を制限するもの、すなわちカードの紛失に起因するものである場合には、カード１の磁気情報を消磁させるための消磁信号を読取装置１０に送信する。
【００５６】
その後、読取装置１０は、照合装置３０から許可信号または不許可信号を受信し（ステップＳ５０９またはステップＳ５１１）、この許可信号または不許可信号に基づいて動作する（ステップＳ５１２〜ステップＳ５１４）。具体的には、受信した信号が許可信号であるか否かを判定し（ステップＳ５１２）、許可信号である場合には（ステップＳ５１２肯定）、電気錠制御装置１１により錠１１ａを解錠して、当該読取装置１０の設置された警備区域へのカード所有者の入室を可能にする（ステップＳ５１３）。
【００５７】
一方、受信した信号が不許可信号である場合には（ステップＳ５１２否定）、錠１１ａの解錠を拒絶して、当該読取装置１０の設置された警備区域へのカード所有者の入室を不可能にする（ステップＳ５１４）。なお、受信した信号が不許可信号である場合には（ステップＳ５１２否定）、監視カメラ２０による撮像がおこなわれ、さらに不許可信号とともに消磁信号を受信した場合には、カード１の磁気情報の消磁がおこなわれる。
【００５８】
上述してきたように、本実施の形態によれば、照合装置３０の不許可情報ＤＢ３３は、カード１に記憶された属性識別情報および所有者識別情報に対応付けて、当該カード１の所有者の入室を許可しない警備区域に係る区域識別情報を記憶し、照合装置３０は、属性識別情報が読取装置１０から受信した照合情報に含まれる属性識別情報と一致し、かつ、所有者識別情報および区域識別情報が読取装置１０から受信した照合情報に含まれる所有者識別情報および区域識別情報と一致しない場合に、錠１１ａの解錠を許可する許可信号を読取装置１０に送信して錠１１ａを解錠することとしたので、記憶媒体に記憶された所有者識別情報に対応付けて、当該カード１の所有者の入室を許可する警備区域に係る区域識別情報を記憶する場合に比較して、少ない情報量で出入を管理することができる。
【００５９】
なお、本実施の形態では、磁気情報を記憶したカード１を用いて出入管理をおこなう場合を説明したが、本発明はこれに限定されるものではなく、ＩＣカードを用いて出入管理をおこなう場合に適用することもできる。この場合、ＩＣカードを紛失した際の対応としては、本実施の形態の消磁処理に代わって、内蔵プログラムの変更や削除などが考えられる。
【００６０】
また、本実施の形態では、照合装置３０において照合をおこなう場合を説明したが、本発明はこれに限定されるものではなく、読取装置１０からの要求に応じて照合用の情報を照合装置３０から読取装置１０に送信し、読取装置１０において照合をおこなうこともできる。また、本実施の形態では、一台の照合装置３０を用いて出入管理をおこなう場合を説明したが、本発明はこれに限定されるものではなく、接続方式の許す限り、複数台の照合装置３０を用いることもできる。
【００６１】
なお、本実施の形態で説明した出入管理方法は、あらかじめ用意されたプログラムをパーソナル・コンピューターやワークステーションなどのコンピュータで実行することによって実現することができる。このプログラムは、ハードディスク、フロッピーディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、上記記録媒体を介して、インターネットなどのネットワークを介して配布することができる。
【００６２】
【発明の効果】
以上説明したように、請求項１の発明によれば、照合装置は、属性識別情報および所有者識別情報に対応付けた当該記憶媒体の所有者の入室を許可しない警備区域に係る区域識別情報を記憶し、該記憶された属性識別情報が読取装置から受信した照合情報に含まれる属性識別情報と一致し、かつ、該記憶された所有者識別情報および区域識別情報が読取装置から受信した照合情報に含まれる所有者識別情報および区域識別情報と一致しない場合に、許可信号を送信することとしたので、記憶媒体に記憶された所有者識別情報に対応付けて、当該記憶媒体の所有者の入室を許可する警備区域に係る区域識別情報を記憶する場合に比較して、少ない情報量で出入を管理することができる。これにより、照合装置に登録すべき情報量の大型化を防ぎ、もって情報の登録作業に要する労力を軽減することができ、かつ出入を許可するか否かを迅速に照合することが可能な出入管理システムが得られるという効果を奏する。また、請求項１の発明によれば、読取装置は、照合装置から不許可信号を受信した場合に、記憶媒体に記憶された所有者識別情報および／または属性識別情報を消去することとしたので、紛失した記憶媒体が第三者により使用されたような場合に、所有者識別情報および／または属性識別情報を消去して当該記憶媒体の使用を不可能にすることができ、また、この消去に対応する所有者に情報を照合装置から削除することができる。これにより、より確実にセキュリティを確保するとともに、照合装置に登録すべき情報量の削減を図ることが可能な出入管理システムが得られるという効果を奏する。
【００６３】
また、請求項２の発明によれば、照合装置は、該照合装置に記憶された所有者識別情報、属性識別情報および区域識別情報が、前記照合情報に含まれる所有者識別情報、属性識別情報および区域識別情報と一致するか否かをそれぞれ判定し、属性識別情報が一致しないものと判定された場合、または、属性識別情報、所有者識別情報および区域識別情報がいずれも一致するものと判定された場合には、不許可信号を送信し、属性識別情報は一致するが所有者識別情報および区域識別情報が一致しないものと判定された場合には、許可信号送信することとしたので、照合装置に登録すべき情報量の大型化を防ぎ、もって情報の登録作業に要する労力を軽減することができ、かつ出入を許可するか否かを迅速に照合することが可能な出入管理システムが得られるという効果を奏する。
【００６５】
また、請求項３の発明によれば、読取装置は、照合装置から不許可信号を受信した場合に、読取装置を操作する操作者を撮像することとしたので、紛失した記憶媒体が第三者により使用されたような場合に、この悪意の第三者を特定することが可能な出入管理システムが得られるという効果を奏する。
【図面の簡単な説明】
【図１】本実施の形態に係る出入管理システムの全体構成を示す図である。
【図２】図１に示した読取装置および監視カメラの構成を示すブロック図である。
【図３】図１に示した照合装置の構成を示すブロック図である。
【図４】図３に示した不許可情報ＤＢに記憶される情報の構成例を示す図である。
【図５】本実施の形態に係る出入管理システムによるカード照合処理の手順を示すフローチャートである。
【図６】従来技術に係る照合装置に記憶される情報の構成例を示す図である。
【符号の説明】
１  カード
２  専用線
３  ネットワーク
４  制御装置
１０  読取装置
１１  電気錠制御装置
１１ａ  錠
１２  カード読取部
１３  表示部
１４  区域識別情報記憶部
１５  送受信部
１６  制御部
２０  監視カメラ
２１  撮像部
２２  記録部
２３  タイマ
２４  送受信部
２５  カメラ制御部
３０  照合装置
３１  区域識別情報ＤＢ
３２  属性情報ＤＢ
３３  不許可情報ＤＢ
３４  履歴記録部
３５  第１送受信部
３６  第２送受信部
３７  制御部
３７ａ  照合部
３７ｂ  命令作成部
４０  監視センタ
５０  画像送信装置
６０  通信装置
【図１】
0004703880.tif 000002
【図２】
0004703880.tif 000003
【図３】
0004703880.tif 000004
【図４】
0004703880.tif 000005
【図５】
0004703880.tif 000006
【図６】
0004703880.tif 000007